【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
マルチスクリーン端末が現在の各表示画面間の開閉角度を検出するステップと、
検出した現在の各表示画面間の開閉角度に応じて、予め記憶した一組の音響駆動パラメータをマルチスクリーン端末が選択してマルチスクリーン端末のアンプモジュールに出力するステップ、又は、
検出した現在の各表示画面間の開閉角度及び現在の音響駆動パラメータが、最適な音場再生効果に対応する予め記憶した開閉角度及び音響駆動パラメータであるか否かを判断し、そうでない場合、現在の各表示画面間の開閉角度及び／又は現在の音響駆動パラメータを調整する必要があるかについての提示を示すステップと、を含む、
音声再生方法。
【請求項２】
検出した現在の各表示画面間の開閉角度に応じて、予め記憶した一組の音響駆動パラメータを前記マルチスクリーン端末が選択してマルチスクリーン端末のアンプモジュールに出力する前記ステップは、
前記検出した現在の各表示画面間の開閉角度に対応する予め記憶した音響駆動パラメータを前記マルチスクリーン端末が選択して前記アンプモジュールに出力するステップ、又は、
前記検出した現在の各表示画面間の開閉角度と予め記憶した各表示画面間の開閉角度の類似度を前記マルチスクリーン端末が算出し、現在の開閉角度との類似度が最も高い開閉角度に対応する予め記憶した音響駆動パラメータを選択して前記アンプモジュールに出力するステップ、を含む、
請求項１に記載の音声再生方法。
【請求項３】
予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と予め記憶した各表示画面間の開閉角度の類似度を前記マルチスクリーン端末が算出する前記ステップは、
配列Bと、配列A1〜Anに対応する配列要素との差分値、及び各配列の差分値の分散及び／又は加重平均をそれぞれ算出するステップ、を含み、
配列Bと配列Aiで算出された配列要素の差分値の分散及び／又は加重平均が小さいほど配列Bと配列Aiの類似度は高くなり、iは1〜nの間の自然数である、
請求項２に記載の音声再生方法。
【請求項４】
前記方法は、
現在の各表示画面間の開閉角度及び／又は現在の音響駆動パラメータを調整する必要がある場合、前記現在の各表示画面間の開閉角度及び／又は現在の音響駆動パラメータを前記マルチスクリーン端末が調整して、最適な音場再生効果に対応する予め記憶した開閉角度及び／又は音響駆動パラメータにするステップ、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するステップ、をさらに含む、
請求項１に記載の音声再生方法。
【請求項５】
前記音響駆動パラメータは、フィルタパラメータ、ゲインパラメータ、及び位相パラメータを含む、
請求項１に記載の音声再生方法。
【請求項６】
マルチスクリーン端末が現在の各表示画面間の開閉角度を検出するステップと、
検出した現在の各表示画面間の開閉角度と現在の音場タイプに応じて、予め記憶した一組の音響駆動パラメータを選択してマルチスクリーン端末のアンプモジュールに出力するステップ、又は、
検出した現在の各表示画面間の開閉角度及び現在の音響駆動パラメータ、現在の音場タイプが、最適な音場再生効果に対応する予め記憶した開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すステップと、を含む、
音声再生方法。
【請求項７】
現在の各表示画面間の開閉角度を検出し、検出した現在の各表示画面間の開閉角度を処理モジュールに出力するように構成される検出モジュールと、
検出した現在の各表示画面間の開閉角度に応じて、記憶モジュールに予め記憶した一組の音響駆動パラメータを選択してアンプモジュールに出力する、又は、検出した現在の各表示画面間の開閉角度及び現在の音響駆動パラメータが、記憶モジュールに予め記憶した最適な音場再生効果に対応する開閉角度及び音響駆動パラメータであるか否かを判断し、そうでない場合、現在の各表示画面間の開閉角度及び／又は現在の音響駆動パラメータを調整する必要があるかについての提示を示すように構成される処理モジュールと、
前記音響駆動パラメータに従って音響を出力するように構成されるアンプモジュールと、
各表示画面間の開閉角度と音場再生効果と音響駆動パラメータの対応関係を少なくとも一組予め記憶するように構成される記憶モジュールと、を含む、
マルチスクリーン端末。
【請求項８】
調整モジュールをさらに含み、
前記処理モジュールはさらに、現在の各表示画面間の開閉角度及び／又は現在の音響駆動パラメータを調整する必要がある場合、調整モジュールに通知するように構成され、
調整モジュールは、前記処理モジュールからの通知を受けて、前記現在の各表示画面間の開閉角度及び／又は現在の音響駆動パラメータを調整して、最適な音場再生効果に対応する予め記憶した開閉角度及び／又は音響駆動パラメータにする、又は、前記現在の各表示画面間の開閉角度及び／又は現在の音響駆動パラメータを調整して、最適な音場再生効果に対応する予め記憶した開閉角度及び／又は音響駆動パラメータにする方法を、現在使用中の表示画面上においてユーザーインターフェースを介し提示するように構成される、
請求項７に記載のマルチスクリーン端末。
【請求項９】
前記処理モジュールは、検出した現在の各表示画面間の開閉角度に応じて、記憶モジュールに予め記憶した一組の音響駆動パラメータを選択してアンプモジュールに出力し、
前記記憶モジュールに予め記憶した、前記検出した現在の各表示画面間の開閉角度に対応する音響駆動パラメータを選択して前記アンプモジュールに出力するステップ、又は、
前記検出した現在の各表示画面間の開閉角度と前記記憶モジュールに予め記憶した各表示画面間の開閉角度の類似度を算出し、現在の開閉角度との類似度が最も高い開閉角度に対応する予め記憶した音響駆動パラメータを選択して前記アンプモジュールに出力するステップ、を含む
請求項７に記載のマルチスクリーン端末。
【請求項１０】
予め記憶した各表示画面間の開閉角度を配列A1〜Anとし、nを予め記憶した各表示画面間の開閉角度と音場再生効果の対応関係の配列数とし、前記検出した現在の各表示画面間の開閉角度を配列Bとし、前記検出した現在の各表示画面間の開閉角度と記憶モジュールに予め記憶した各表示画面間の開閉角度の類似度を前記処理モジュールが算出するステップは、
配列Bと、配列A1〜Anに対応する配列要素との差分値、及び各配列の差分値の分散及び／又は加重平均をそれぞれ算出するステップ、を含み、
配列Bと配列Aiで算出された分散及び／又は加重平均が小さいほど配列Bと配列Aiの類似度は高くなり、iは1〜nの間の自然数である、
請求項９に記載のマルチスクリーン端末。
【請求項１１】
前記音響駆動パラメータは、フィルタパラメータ、ゲインパラメータ、及び位相パラメータを含む、
請求項７に記載のマルチスクリーン端末。
【請求項１２】
前記検出モジュールは、メカニカルゴニオメーター、磁気ゴニオメーター、レーザーゴニオメーターを含む、
請求項７に記載のマルチスクリーン端末。
【請求項１３】
前記処理モジュールは、前記検出した現在の各表示画面間の開閉角度と現在の音場タイプに応じて、前記記憶モジュールに予め記憶した一組の音響駆動パラメータを選択して前記アンプモジュールに出力する、又は、現在の各表示画面間の開閉角度及び現在の音響駆動パラメータ、現在の音場タイプが、前記記憶モジュールに予め記憶した最適な音場再生効果に対応する開閉角度及び音響駆動パラメータ、音場タイプであるか否かを判断し、そうでない場合、現在の各表示画面間の開閉角度、現在の音響駆動パラメータ及び／又は現在の音場タイプを調整する必要があるかについての提示を示すように構成される、
請求項７に記載のマルチスクリーン端末。
【請求項１４】
記憶されたプログラムを含み、
前記プログラムが実行されるとき、請求項１〜５の何れか１項に記載の方法を実行する、
記憶媒体。